(57)【要約】【課題】水道連結型のスプリンクラー装置を野縁にしっかりと固定することができると共にスプリンクラー装置の設置位置の調整が容易な固定装置及び固定方法を提供する。【解決手段】本発明による固定装置(10)は、野縁(6)に固定される一対のレール(12,14)と、一対のレール(12,14)に固定される固定部材(20)を有し、固定部材(20)にスプリンクラー装置(2)が固定される。スプリンクラー装置(2)は、２つの接続ポート(34a,34b)を有する継手(30)と、２つの接続ポートに接続される樹脂製のホース(32)を有する。固定部材(20)は、それが一対のレール(12,14)に仮固定されている状態において、一対のレール(12,14)に沿って摺動可能である。【選択図】図２
2010172385.tif 000002
【特許請求の範囲】
【請求項１】
水道連結型のスプリンクラー装置を、天井パネルの上側からの作業によって天井パネルに対して固定することを可能にする固定装置であって、
天井パネルを保持する野縁に固定され且つ互いに間隔をおいて配置された一対のレールと、前記一対のレールの間を橋渡しするように前記一対のレールに固定される固定部材とを有し、前記一対のレールは、隣接した野縁の一方から他方に延び、
スプリンクラー装置は、前記固定部材の下側に配置されるスプリンクラーヘッドが固定され且つ前記固定部材の上側に固定される、２つの接続ポートを有する継手と、天井パネルに沿って延び且つ前記２つの接続ポートにそれぞれ接続される樹脂製のホースとを有し、
前記固定部材は、それが前記一対のレールに仮固定されている状態において、前記一対のレールに沿って摺動可能であることを特徴とする、固定装置。
【請求項２】
前記継手は、それを前記固定部材に仮固定している間、前記固定部材に対して回転可能であることを特徴とする、請求項１に記載の固定装置。
【請求項３】
更に、前記野縁に取付けられるブラケットを有し、前記ブラケットは、前記一対のレールが延びる方向と垂直な方向に前記一対のレールが移動することを規制する規制部を有することを特徴とする、請求項１又は２に記載の固定装置。
【請求項４】
更に、レバー式の締付け具を有し、前記レバー式の締付け具は、前記一対のレールの各々を、野縁又はそれに取付けられた取付けブラケットに押付けて固定することを特徴とする、請求項１〜３の何れか１項に記載の固定装置。
【請求項５】
前記レバー式の締付け具は、回動軸線を中心に互いに回動可能に取付けられた回動レバーと、野縁又はそれに取付けられた前記取付けブラケットに引掛けられる引掛け部とを有し、前記回動レバーは、前記レールと当接箇所で当接する脚部を有し、前記脚部の輪郭は、前記回動レバーを上側から前記レールに近づけるように回動させたときに、前記引掛け部を引っ張る力が増大するように前記回動軸線と当接箇所との間の距離が増大し、且つ、前記回動レバーを更に回動させたときに、前記距離が減少するように定められることを特徴とする請求項４記載の固定装置。
【請求項６】
水道連結型のスプリンクラー装置を、天井パネルの上側からの作業によって天井パネルに対して固定することを可能にする固定方法であって、
固定部材を、前記一対のレールの間を橋渡しするように前記一対のレールに仮固定する工程と、
一対のレールを、天井パネルを上側から保持する野縁に固定する工程と、
２つの接続ポートを有し且つスプリンクラーヘッドが固定される継手を、前記固定部材に仮固定する工程と、
前記固定部材を前記一対のレールに沿って移動させ、前記継手に、前記天井パネルに沿って延びる樹脂製のホースを接続する工程と、
前記継手に樹脂製のホースを接続した後、前記固定部材を前記一対のレールに沿って移動させ、スプリンクラーヘッドからの散水のために天井パネルに設けられている開口に合わせて、前記固定部材を前記一対のレールに固定する工程と、
前記固定部材を前記一対のレールに固定した後、仮固定されていた前記継手を前記固定部材に固定する工程と、を有することを特徴とする固定方法。
【発明の詳細な説明】
【技術分野】
【０００１】
本発明は、スプリンクラー装置を野縁に固定するための固定装置及び固定方法に関し、更に詳細には、水道連結型のスプリンクラー装置を天井パネルの上側からの作業によって野縁に固定するための固定装置及び固定方法に関する。
【背景技術】
【０００２】
火災を自動的に検出して天井等から散水するスプリンクラー装置が知られている。スプリンクラー装置は、水を噴射するスプリンクラーヘッドと、スプリンクラーヘッドに水を供給するために天井パネルの上側に通されるスプリンクラー配管とを有している。具体的には、スプリンクラー配管の大部分は、吊り具等によって吊られ、スプリンクラーヘッド及びその周囲のスプリンクラー配管は、天井パネルを上側から支持するために互いに平行に配置された野縁に固定装置を介して固定されている（例えば、特許文献１〜４参照）。
【０００３】
また、従来のスプリンクラー装置では、各々に専用のポンプユニットや貯水槽等の周辺設備を設置することが一般的であったため、周辺設備に高額な費用がかかっていた。これに対し、近年、周辺設備を共有するようにして、周辺設備に比較的低額な費用しかかからない水道連結型のスプリンクラー装置が用いられるようになってきた。このような水道連結型のスプリンクラー装置では、複数のスプリンクラー装置がスプリンクラー配管で直列に接続されている。
【先行技術文献】
【特許文献】
【０００４】
【特許文献１】実公昭第５５−２３５６０号公報（図１）
【特許文献２】特開平第７−１５１２６９号公報（図１）
【特許文献３】特開２００３−２１０６０４号公報（図５）
【特許文献４】特開２００５−３１９２７８号公報（図１）
【発明の概要】
【発明が解決しようとする課題】
【０００５】
専用の周辺設備を設置していた従来のスプリンクラー装置では、水が流入する１つの接続ポートだけが必要であったのに対し、水道連結型のスプリンクラー装置では、水が流入する接続ポートと流出する接続ポートの２つが必要になる。このため、水道連結型のスプリンクラー装置では、スプリンクラー配管から受ける力が従来のスプリンクラー配管から開ける力よりも増大し、従来のスプリンクラー装置を天井パネルに固定する方法では、野縁に対するスプリンクラー装置のしっかりとした固定が難しいことがあった。
【０００６】
一方、スプリンクラーの設置位置は、散水対象の部屋に散水の死角ができないよう且つ設置個数が最小になるように定められるので、スプリンクラー装置の設置位置を調整できることも必要である。
【０００７】
そこで、本発明の目的は、水道連結型のスプリンクラー装置を野縁に確実に固定することができると共にスプリンクラー装置の設置位置の調整が容易な固定装置及び固定方法を提供することにある。
【課題を解決するための手段】
【０００８】
上記課題を解決するために、本発明による水道連結型のスプリンクラー装置の固定装置は、天井パネルの上側からの作業によって野縁に対して固定することを可能にし、天井パネルを保持する野縁に固定され且つ互いに間隔をおいて配置された一対のレールと、一対のレールの間を橋渡しするように一対のレールに固定される固定部材とを有し、一対のレールは、隣接した野縁の一方から他方に延び、スプリンクラー装置は、固定部材の下側に配置されるスプリンクラーヘッドが固定され且つ固定部材の上側に固定される、２つの接続ポートを有する継手と、天井パネルに沿って延び且つ２つの接続ポートにそれぞれ接続される樹脂製のホースとを有し、固定部材は、それが一対のレールに仮固定されている状態において、一対のレールに沿って摺動可能であることを特徴としている。
【０００９】
このように構成された本発明による固定装置では、従来のスプリンクラー装置の固定装置と違って、互いに間隔をおいて配置された一対のレールが隣接した野縁の一方から他方に延び、野縁に４箇所で固定されているので、接続ポートが２つある水道連結型のスプリンクラー装置を野縁に確実に固定することができる。また、固定部材が、一対のレールに仮固定されている状態において、一対のレールに沿って摺動可能であるので、スプリンクラー装置を、それからの散水のために天井パネルに形成される開口のほぼ中心の任意の方向に容易に位置合せして固定することができる。また、スプリンクラー装置を樹脂製のホースを介して隣のスプリンクラー装置と直列に接続する場合、スプリンクラー装置を樹脂製ホースの長さや曲がりに対応した位置に容易に位置合せすることができる。
【００１０】
本発明の固定装置において、好ましくは、継手は、それを固定部材に仮固定している間、固定部材に対して回転可能である。
【００１１】
このように構成された固定装置では、継手に接続される樹脂製ホースの長さや曲がりによって生じる向きに応じて、継手が回転し、その後、最も適当な向きで継手を固定することができる。そのため、スプリンクラー装置を樹脂製のホースを介して隣のスプリンクラー装置と直列に接続する場合、スプリンクラー装置を樹脂製ホースの向きに対応した位置に容易に位置合せすることができる。
【００１２】
本発明の固定装置において、好ましくは、更に、野縁に取付けられるブラケットを有し、ブラケットは、一対のレールが延びる方向と垂直な方向に一対のレールが移動することを規制する規制部を有する。
【００１３】
このように構成された固定装置では、一対のレールを野縁に固定する位置の確認が容易になる。
【００１４】
本発明の固定装置において、好ましくは、更に、レバー式の締付け具を有し、レバー式の締付け具は、一対のレールの各々を、野縁又はそれに取付けられたブラケットに押付けて固定する。レバー式の締付け具は、好ましくは、回動軸線を中心に互いに回動可能に取付けられた回動レバーと、野縁又はそれに取付けられたブラケットに引掛けられる引掛け部とを有し、回動レバーは、レールと当接箇所で当接する脚部を有し、脚部の輪郭は、回動レバーを上側から前記レールに近づけるように回動させたときに、引掛け部を引っ張る力が増大するように回動軸線と当接箇所との間の距離が増大し、且つ、回動レバーを更に回動させたときに、距離が減少するように定められる。
【００１５】
このように構成された固定装置では、レールを確実かつ容易に野縁に固定することができる。
【００１６】
また、上記目的を達成するために、本発明による水道連結型のスプリンクラー装置を天井パネルの上側からの作業によって野縁に対して固定することを可能にする固定方法は、固定部材を、一対のレールの間を橋渡しするように一対のレールに仮固定する工程と、一対のレールを、天井パネルを上側から保持する野縁に固定する工程と、２つの接続ポートを有し且つスプリンクラーヘッドが固定される継手を、固定部材に仮固定する工程と、固定部材を一対のレールに沿って移動させ、継手に、天井パネルに沿って延びる樹脂製のホースを接続する工程と、継手に樹脂製のホースを接続した後、固定部材を一対のレールに沿って移動させ、スプリンクラーヘッドからの散水のために天井パネルに設けられている開口に合わせて、固定部材を一対のレールに固定する工程と、固定部材を一対のレールに固定した後、仮固定されていた継手を固定部材に固定する工程と、を有することを特徴としている。
【発明の効果】
【００１７】
以上説明したように、本発明によるスプリンクラー装置の固定装置及び固定方法によれば、水道連結型のスプリンクラー装置を野縁に確実に固定することができると共にスプリンクラー装置の設置位置の調整が容易である。
【図面の簡単な説明】
【００１８】
【図１】住宅用のスプリンクラー装置の配管の一例の概略図である。
【図２】スプリンクラー装置のための固定構造を示す正面図である。
【図３】図２に示す固定構造の平面図である。
【図４】図２の線IV−IVにおける断面図である。
【図５】図２の線V−Vにおける断面図である。
【図６】締付け具の拡大斜視図である。
【図７】木製の野縁に取付けられるレールを示す正面図である。
【図８】木製の野縁に取付けられるレールを示す平面図である。
【図９】木製の野縁に取付けられるレールを示す側面図である。
【発明を実施するための形態】
【００１９】
図面を参照して、スプリンクラー装置のための本発明による固定装置の実施形態を説明する。図１は、住宅用のスプリンクラー装置の配管の一例の概略図である。図２は、スプリンクラー装置のための固定構造を示す正面図である。図３は、図２に示す固定構造の平面図である。図４は、図２の線IV−IVにおける断面図であり、図５は、図２の線V−Vにおける断面図である。図６は、後述する締付け具の拡大斜視図である。
【００２０】
図１に示すように、住宅用のスプリンクラー装置のための配管１００は、水道管１０１からの分岐管１０２に止水栓１０３を介して取付けられた分岐ヘッダー１０４と、分岐ヘッダー１０４から停滞水防止継手１０５を介してトイレのタンク１０６まで延びるスプリンクラー配管１０７と、停滞水防止継手１０５に取付けられたスプリンクラーヘッド１０８とを有している。スプリンクラー配管１０７は、主に、天井パネル１０９の上側、即ち、裏側を通っている。
【００２１】
止水栓１０３が開いているとき、トイレの使用のたびに、スプリンクラー配管１０７の中を水が流れ、スプリンクラー装置が火災を感知したとき、停滞水防止継手１０５を介してスプリンクラーヘッド１０８から散水される。
【００２２】
図２〜図５に示すように、スプリンクラー装置のための固定構造１は、スプリンクラー装置２と、天井パネル４と、天井パネル４を上側から保持する野縁６、７と、スプリンクラー装置２からの散水及びその取付けのために天井パネル４に形成される開口８と、本発明による固定装置の実施形態である固定装置１０とを有している。
【００２３】
天井パネル４は、例えば、石膏ボード、コンパネ等で作られた厚さが約９〜２５ｍｍの板材である。天井パネル４は、野縁６、７にビス等によって固定されている。
【００２４】
野縁６、７は、互いに平行に天井パネル４に沿って延びる複数の棒状の部材である。野縁６、７は、引掛け部を有する鋼材で作られていることが好ましい。野縁６、７はそれぞれ、開口６ａ、７ａを有する上面６ｂ、７ｂと、開口６ａ、７ａに設けられ且つ後述する締付け具５６を引掛けるための引掛け部６ｃ、７ｃを有している。
【００２５】
開口８の形状及び寸法は、スプリンクラー装置２による散水が可能であれば、任意である。例えば、開口８は、円形であり、その直径は、４０〜６０ｍｍである。後述するように、この開口８は、それよりも大きく天井パネル４にあけられた開口８ａによって生じたパネル部分４４ｂに設けられることが好ましい。
【００２６】
固定装置１０は、野縁６、７に固定された一対のレール１２、１４を有している。詳細には、一対のレール１２、１４は、互いに間隔をおいて平行に配置された矩形断面の２本の棒状部材である。レール１２、１４は、軽量化のために、中空であることが好ましい。レール１２、１４はまた、隣り合った野縁６、７の一方の野縁６の上から他方の野縁７の上に延びている。
【００２７】
また、固定装置１０は、一対のレール１２、１４の間を橋渡しするように一対のレール１２、１４に固定される固定部材２０を有している。固定部材２０は、レール１２、１４の上に乗せられる下面２０ａを有し、レール１２、１４は、固定部材２０を乗せる上面１２ａ、１４ａを有している。固定部材２０は、例えば、アルミニウム又はステンレスの板材で作られる。
【００２８】
また、固定部材２０は、一対のレール１２、１４を予め決められたピッチＰで受入れる受け部を有している。詳細には、固定部材は、レール１２、１４を越えてから下方に延びる第１の延長部２０ｃと、レール１２、１４を越える前に下方に延び、次いで、レール１２、１４の下方に延びる第２の延長部２０ｄと、引張りばね４６（後述）の一方の端部を支持するために上向きに延びる延長部２０ｅとを有している。第１の延長部２０ｃと第２の延長部２０ｄとの間の野縁方向Ａの距離Ｄ１は、レール１２、１４の幅Ｗよりも僅かに大きいことが好ましい。レール１２のための第１の延長部２０ｃ及び第２の延長部２０ｄと、レール１４のための第１の延長部２０ｃ及び第２の延長部２０ｄとは、一対のレール１２、１４を予め決められたピッチＰで受入れるように配置され、好ましくは、レール１２、１４が延びる方向に間隔をおいて２箇所ずつ設けられる。かくして、第１の延長部２０ｃ及び第２の延長部２０ｄは、上記受け部を構成する。第２の延長部２０ｄは、レール１２、１４を下方から押付けるためのネジ２１が螺合するねじ山付きの孔２０ｆを有している。
【００２９】
固定部材２０は、ネジ２１によってレール１２、１４に押付けられることによって固定されている。ネジ２１は、ねじ山付きの孔２０ｆからはずれて落下することを防止するためのはずれ防止部（図示せず）を有していることが好ましい。
【００３０】
固定部材２０は、それがネジ２１によってレール１２、１４に固定されているとき、天井パネル４の開口８の上側に位置している。また、ネジ２１を完全に締付けない状態、即ち、固定部材２０が一対レール１２、１４に仮固定されている状態において、レールの長手方向に摺動可能である。
【００３１】
固定部材２０は、スプリンクラー装置２を固定するための下面２０ａ、上面２０ｂ、及び貫通孔２４を有している。貫通孔２４は、固定部材２０の中央に設けられている。貫通孔２４は、一対の棒状部１２、１４を橋渡しする方向Ａに長孔になっていることが好ましい。
【００３２】
スプリンクラー装置２は、固定部材２０の下側に配置されるスプリンクラーヘッド２６に向かって固定部材２０の上側から下側に延び且つ固定部材２０に固定されるスプリンクラー配管２８を有している。詳細には、スプリンクラー配管２８は、大部分が固定部材２０の上側に位置した状態で固定された配管接続部３０と、天井パネルに沿って延びる樹脂製のホース３２を有している。
【００３３】
配管接続部３０は、好ましくは、停滞水防止継手である。停滞水防止継手３０は、概略的には、Ｔ字形をなし、下方に延びる下方管状部分３０ａと、側方に延びる２つの側方管状部分３０ｂとを有している。下方管状部分３０ａは、固定部材２０の上面２０ｂと当接する段付き部３０ｃと、且つ固定部材２０の貫通孔２４の中を下方に延びる延長部３０ｄを有している。延長部３０ｄは、散水機構を備えたスプリンクラーヘッド２６がねじ込まれる雌ネジ部３０ｅと、停滞水防止継手３０を固定部材２０に締付け固定するためのナット３０ｆが螺合する雄ネジ部３０ｇとを有している。スプリンクラーヘッド２６は、延長部分３０ｄに当接して位置決めされることが好ましい。停滞水防止継手３０は、それがナット３０ｆによって固定部材２０に完全に締付け固定されていない状態、即ち、仮固定された状態で、貫通孔２４を中心に回転可能である。
【００３４】
２つの側方管状部分３０ｂは、一方の側に向けられた接続ポート３４ａと、その反対側に向けられた接続ポート３４ｂとを有している。
【００３５】
樹脂製のホース３２は、さや管３６に入れられていることが好ましく、防災継手３８等を介して、接続ポート３４ａ、３４ｂに接続されている。また、停滞水防止継手３０及びそれとホース３２との接続部の周りに、保温カバー４０が設けられていることが好ましい。保温カバー４０は、２つ割りになっており、停滞水防止継手３０を挟むように覆うことが可能である。保温カバー４０は、例えば、発泡ポリスチレンで作られている。
【００３６】
スプリンクラー配管２８は、固定部材２０よりも上側に位置するいくつかの箇所に、配管作業を行う配管作業箇所４２を有している。本実施形態では、配管作業箇所４２は、停滞水防止継手３０を固定部材２０に取付ける箇所３０ｃ、樹脂製のホースを防災継手３８を介して接続ポート３４ａ、３４ｂに接続する箇所、保温カバー４０を取付ける箇所等である。
【００３７】
固定構造１は、更に、天井パネルに、開口８よりも大きくあけられた開口８ａに取付けられる下カバー４４と、下カバー４４を天井パネル４に向かって押付けるために、下カバー４４と固定部材２０の延長部２０ｅとの間に配置された引張りばね４６とを有している。下カバー４４は、天井パネル４に下側から当接可能な環状部４４ａと、開口８ａをあけたときに生じ且つ環状部４４ａの内側に配置され且つ開口８が設けられた円形のパネル部分４４ｂと、開口８を閉鎖するコンシールド４４ｃとを有していることが好ましい。
【００３８】
固定装置１０は、更に、野縁６、７に固定されるブラケット６４を有していることが好ましい。ブラケット６４は、野縁６、７に引掛けることが可能な第１の水平部６４ａと、野縁６に側方から当接する垂直部６４ｂと、棒状部１２、１４を載せることができる上面６４ｄを有する第２の水平部６４ｃとを有している。第１の水平部６４ａの先端から下側に延長部が延びていることが好ましい。垂直部６４ｂは、ブラケット６４を野縁６に側方からねじで留めるための孔６４ｅを有している。
【００３９】
ブラケット６４は、更に、一対のレール１２、１４を位置決めするための規制部を有している。具体的には、垂直部６４ｂから上側に延び且つ野縁方向Ａに間隔をおいて配置された４つの上向き延長部６４ｆを有しており、上記規制部は、隣接した上向き延長部６４ｆの側縁６５によって構成されている（図５参照）。本実施形態では、隣接した上向き延長部６４ｆの間の距離Ｄ２は、レール１２、１４の幅Ｗよりも僅かに大きく、かくして、隣接した上向き延長部６４ｆの間にレール１２、１４を配置したときに、一対のレール１２、１４が、予め決められたピッチＰに位置決めされる。また、ブラケット６４の取付け位置が正確であれば、隣接した上向き延長部６４ｆの間にレール１２、１４を配置したときに、レール１２、１４が、野縁方向Ａに対して垂直な方向に位置決めされる。変形例として、レール１２、１４を上向き延長部６４ｆの側縁６５に当接させることによって、一対のレール１２、１４を位置決めしてもよい。この場合、中央寄りの上向き延長部６４ｆだけが設けられてもよいし、両側の上向き延長部６４ｆだけが設けられてもよい。ブラケット６４は、１枚の板材から形成されていることが好ましい。
【００４０】
一対のレール１２、１４は、レバー式の締付け具５６によって野縁６、７に押付けられるように固定されている。レバー式の締付け具５６は、レバーを回動させることによって、レール１２、１４を野縁６、７の上面６ｂ、７ｂに押付けて固定する種類のものであることが好ましい。具体的には、図６に示すように、締付け具５６は、回動軸線５６ｃを中心に互いに回動可能に取付けられた回動レバー５６ａと、引掛け部５６ｂとを有している。回動レバー５６ａは、回動軸線５６ｃの近くに設けられた脚部５６ｄを有し、それから一方の方向に延びている。
【００４１】
脚部５６ｄは、レール１２、１４の上面１２ｂ、１４ｂに当接箇所で当接し、その上を転動且つ摺動可能である。脚部５６ｄの輪郭は、回動レバー５６ａを上側からレール１２、１４に近づけるように回動させたときに、引掛け部５６ｂを引っ張る力が増大するように回動軸線５６ｃと当接箇所との間の距離が増大し、且つ、回動レバー５６を更に回動させたときに、かかる距離が減少するように定められている。本実施形態では、回動レバー５６ａが水平方向に向けられたときに、かかる距離は最大になる。
【００４２】
引掛け部５６ｂは、折り曲げられた棒材からなり、回動軸線５６ｃ一方の側から下側に延びる第１の側部５６ｅと、回動軸線５６ｃの他方の側から下側に延びる第２の側部５６ｆと、第１の側部の端部と第２の側部の端部とをほぼ横方向に連結するループ部５６ｇとを有している。第１の側部５６ｅ及び第２の側部５６ｆは、Ｊ字形に延び、即ち、回動軸線５６ｃから下側に延びた後、回動レバー５６ａが回動軸線５６ｃから延びる方向と反対方向に少し上側に延びている。回動レバー５６ａ、第１の側部５６ｅ、第２の側部５６ｆ及びループ部５６ｇによって囲まれる空間は、その中を棒状部１２、１４が通り抜けることができる形状及び大きさであることが好ましい。締付け具５６の引掛け部５６ｂは、野縁６、７の引掛け部６ｃ、７ｃに引掛けられる。
【００４３】
次に、スプリンクラー装置を天井パネルに固定する方法を説明する。
【００４４】
スプリンクラー装置２を設置する箇所を、隣接した野縁６、７の間に決定し、それに応じて、天井パネル４に開口８ａをあけ、パネル部分４４ｂを形成する。また、スプリンクラー装置２からの散水のための開口８をパネル部分４４ｂに形成する。
【００４５】
次いで、開口８の近傍の天井パネル４に設けられた点検口から固定部材２０を天井パネル４の上方に移動させる。そして上方の空間（いわゆる天井裏）において、固定部材２０を、一対のレール１２、１４の間を橋渡しするように一対のレール１２、１４に仮固定する工程を行う。詳細には、固定部材２０の第１の延長部２０ｃと第２の延長部２０ｄとの間にレール１２、１４を挿入する。
【００４６】
次いで、一対のレール１２、１４を、天井パネル４を上側から保持する野縁６、７に固定する工程を行う。具体的には、まず、ブラケット６４の上側水平部６４ａを野縁６、７に引掛けると共に、ブラケット６４を、取付け工具、例えば、電動ドリルによって垂直部６４ｂの側方から野縁６、７にねじ止め固定する。
【００４７】
次いで、一対のレール１２、１４の両端部に、締付け具５６の引掛け部５６ｂを嵌めておき、一対のレール１２、１４を隣接した野縁の一方６の上から他方７の上に延びるように野縁６、７の上に載せる。このとき、一対のレール１２、１４の両端部をブラケット６４の規制部、即ち、側縁６５によって、一対のレール１２、１４をブラケット６４に対して位置決めし、即ち、棒状部材１２、１４の野縁方向Ａの移動が阻止される。それにより、一対のレール１２、１４の野縁６、７への位置決めが一層容易になる。一対のレール１２、１４が所定の場所にピッチＰで位置決めされる。
【００４８】
次いで、一対のレール１２、１４を締付け具５６で野縁６、７に固定する。詳細には、締付け具５６のループ部５６ｇを野縁６、７の引掛け部６ｃ、７ｃに引掛け、回動レバー５６ａを上向きから下側に水平方向を越えるまで回動させる。回動レバーは、それがレール１２、１４に当接するまで回動することが可能である。この状態において、引掛け部６ｃ、７ｃが上側に引っ張られると共に、レール１２、１４が野縁６、７に押付けられて固定される。また、回動レバー５６ａが水平方向を越えるまで回動されているので、回動レバー５６ａが上向きに戻ることが防止される。
【００４９】
次いで、２つの接続ポート３４ａ、３４ｂを有し且つスプリンクラーヘッド２６が固定される停滞水防止継手３０を、固定部材２０に仮固定する工程を行う。詳細には、停滞水防止継手３０の延長部３０ｄを、固定部材２０の貫通孔２４に通し、ナット３０ｆを延長部３０ｄの雄ネジ部３０ｇに螺合させ、固定部材２０を締付ける。それにより、停滞水防止継手３０が固定部材に固定される。本実施形態では、ナット３０ｆを完全に締付けない状態、即ち、停滞水防止継手３０を固定部材２０に仮固定する。それにより、停滞水防止継手３０は、固定部材２０に対して回転可能である。
【００５０】
次いで、固定部材２０を一対のレール１２、１４に沿って移動させ、停滞水防止継手３０に、天井パネル４に沿って延びる樹脂製のホース３２を接続する工程を行う。詳細には、固定部材２０を一対のレール１２、１４に沿って適当な位置まで移動させ、さや管３６に通した樹脂性のホース３２と停滞水防止継手３０の接続ポート３４ａ、３４ｂとを防災継手３８を介して接続する。また、保温カバー４０を、停滞水防止継手３０の周り及びそれとホース３２との接続部の周りに取付ける。
【００５１】
樹脂のホース３２は、ある程度の可撓性があるけれども、長さが決まっているため、停滞水防止継手３０の位置が変化すると、ホースに働く力が変化する。本実施形態では、ホースに働く力が変化する際、ホース３２に働く力が釣り合うように、停滞水防止継手３０が固定部材２０に対して回転する。従って、ホースに不釣合いな力が働いた状態で停滞水防止継手３０を固定部材２０に固定することが防止される。
【００５２】
次いで、固定部材２０を一対のレール１２、１４に沿って移動させ、スプリンクラーヘッド２６からの散水のために天井パネル４に設けられている開口８に合わせて、固定部材２０を一対のレール１２、１４に固定する工程を行う。固定部材２０は、一対のレール１２、１４にネジ２１によって固定されることが好ましい。ネジ２１は、トルクリミッタ付きの電動ねじ回し等によって、一定のトルクで締付けられることが好ましい。
【００５３】
次いで、仮固定されていた継手３０を固定部材２０に固定する工程を行う。具体的には、ナット３０ｆを締め付け、停滞水防止継手３０を固定部材２０に固定する。その後、天井パネルの下側からスプリンクラーヘッド２６を停滞水防止継手３０の雌ネジ部３０ｅにねじ込んで、固定する。なお、スプリンクラーヘッド２６は、天井パネルの下側に延びる形態となるため、固定作業は、天井パネルの下側からが好ましいが、天井パネルの下側の部屋の状況によっては、天井パネルの上側から開口の隙間から手を伸ばし、固定作業を行ってもよい。
【００５４】
最後に、引張りばね４６の一方の端部を取付け部材２０の延長部２０ｅに引掛け、他方の端部を引張り状態で下カバー４４に引掛ける。手を離すと、下カバー４４は、引張りばね４６によって天井パネル４に押付けられる。
【００５５】
上述した固定構造及び固定方法では、従来のスプリンクラー装置の固定装置と違って、互いに間隔をおいて配置された一対のレール１２、１４が隣接した野縁の一方６から他方７に延び、野縁６、７に４箇所で固定されているので、２つの接続ポート３４ａ、３４ｂがある水道連結型のスプリンクラー装置２を野縁６、７に確実に固定することができる。
【００５６】
また、固定部材２０が、一対のレール１２、１４に仮固定されている状態において、一対のレール１２、１４に沿って摺動可能であるので、スプリンクラー装置２を、それからの散水のために天井パネルに形成される開口８のほぼ中心の任意の方向に容易に位置合せして固定することができる。また、スプリンクラー装置２を樹脂製のホース３２を介して隣のスプリンクラー装置と直列に接続する場合、スプリンクラー装置２を樹脂製ホース３２の長さや曲がりに対応した位置に容易に位置合せすることができる。
【００５７】
更に、停滞水防止継手３０に接続される樹脂製ホース３２の長さや曲がりによって生じる向きに応じて、停滞水防止継手３０が回転し、その後、最も適当な向きで停滞水防止継手３０を固定することができる。そのため、スプリンクラー装置２を樹脂製のホース３２を介して隣のスプリンクラー装置と直列に接続する場合、スプリンクラー装置２を樹脂製ホース３２の向きに対応した位置に容易に位置合せすることができる。
【００５８】
また、既存の野縁６を切断することなしに、スプリンクラー装置２を天井パネル４に固定することができる。逆に、既存の野縁６の寸法が分かっているため、レール１２、１４、固定部材２０を介してスプリンクラーヘッドの高さ方向位置を予め設定することができる。また、固定部材２０が、一対のレール１２、１４の上に乗せられて固定されるので、固定部材２０の上面２０ｂを水平方向に配置することが容易であり、その結果、スプリンクラーヘッド２６の取付け方向、即ち、散水方向が設計通りになるように、固定部材２０に固定することができる。
【００５９】
次に図７〜図９を参照して、野縁６が木材でできている場合を説明する。図７〜図９はそれぞれ、木製の野縁に取付けられるレールを示す正面図、平面図及び側面図である。
【００６０】
固定装置１０は、取付けブラケット５４を介して野縁６’に固定されている。取付けブラケット５４は、野縁６’に引掛けることが可能な上側水平部５４ａと、野縁６’に側方から当接する垂直部５４ｂと、レール１２、１４の端部を乗せることができる上面５４ｄを有する下側水平部５４ｃとを有している。垂直部５４ｂは、取付けブラケット５４を野縁６’に側方からねじで留めるための孔５４ｅを有している。
【００６１】
取付けブラケット５４は、一対のレール１２、１４が延びる方向と垂直な方向、即ち、野縁６’が延びる方向（野縁方向）Ａに一対のレール１２、１４が移動することを規制する規制部５５を有している。具体的には、ブラケット５４は、下側水平部５４ｃの先端から上側に延び且つ野縁方向Ａに間隔をおいて配置された３つの上向き延長部５４ｆを有しており、上記規制部は、隣接した上向き延長部５４ｆの側縁５５によって構成されている。本実施形態では、隣接した上向き延長部５４ｆの間の距離Ｄ３は、レール１２、１４の幅Ｗよりも僅かに大きく、かくして、隣接した上向き延長部５４ｆの間にレール１２、１４を配置したときに、レール１２、１４が、予め決められたピッチＰに位置決めされる。また、ブラケット５４の取付け位置が正確であれば、隣接した上向き延長部５４ｆの間にレール１２、１４を配置したときに、レール１２、１４が、野縁方向Ａに対して垂直な方向に位置決めされる。変形例として、レール１２、１４を上向き延長部５４ｆの側縁５５に当接させることによって、レール１２、１４の野縁方向Ａの移動を規制してもよい。この場合、中央の上向き延長部５４ｆだけが設けられてもよいし、両側の上向き延長部５４ｆだけが設けられてもよい。
【００６２】
取付けブラケット５４は、更に、下側水平部５４ｃの先端から下方に延び且つ野縁方向Ａに間隔をおいて配置された２つの下向き延長部５４ｇを有している。下向き延長部５４ｇは、好ましくは、レール１２、１４の下方に配置され、かくして、隣接した上向き延長部５４ｆの間に配置されている。取付けブラケット５４は、１枚の板材から形成されていることが好ましい。
【００６３】
野縁６’が木材でできている場合、一対のレール１２、１４を、天井パネル４を上側から保持する野縁６’に固定する工程において、固定部材２０、レール１２、１４及び締付け具５６を一体にした状態で、レール１２、１４の両端部をブラケット５４の下側水平部５４ｃに乗せる。このとき、レール１２、１４をブラケット５４の規制部、即ち、隣接した上向き延長部５４ｆの側縁５５の間に配置することにより、レール１２、１４を所定の場所にピッチＰで位置決めされると共に、棒状部１２、１４の野縁方向Ａの移動が阻止される。それにより、レール１２、１４の野縁６’への固定が一層容易になる。次いで、締付け具５６のループ部５６ｇをブラケット５４の下向き延長部５４ｇに引掛け、回動レバー５６ａを上向きから下方に水平方向を越えるまで回動させる。
【００６４】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００６５】
本発明の実施形態では停滞水防止継手３０に設けられた２つの接続ポート３４ａと３４ｂは互いに反対方向（約１８０度）に位置しているが、この方向に限定されず、設置現場の特性により、１２０度や９０度など様々な角度方向とすることができる。
【００６６】
また、本発明の実施の形態では、固定部材２０をレール１２、１４に固定する際に下方からネジ２１による締め付け固定をしているが、これに限定されず、ネジ２１の締め付け方向をレール１２、１４の水平方向からとしても良い。さらにネジ固定ではなく、固定部材２０にクリップの嵌めこみ分を備え、クリップによってレール１２、１４の側面から挟み込むことで固定しても良い。このようにすると、施工性が高まり、特に固定装置の上方せある天井パネル４の上方からの施工が容易になる。
【符号の説明】
【００６７】
２  スプリンクラー装置
４  天井パネル
６、６’、７  野縁
８  開口
１０  固定装置
１２、１４  一対のレール
２０  固定部材
２６  スプリンクラーヘッド
３０  停滞水防止継手（継手）
３２  ホース
３４ａ、３４ｂ  接続ポート
５４  取付けブラケット
５５  側縁（規制部）
５６  締付け具
５６ａ  回動レバー
５６ｂ  引掛け部
５６ｃ  回動軸線
５６ｄ  脚部
６４  ブラケット
６５  側縁（規制部）
【図１】
2010172385.tif 000003
【図２】
2010172385.tif 000004
【図３】
2010172385.tif 000005
【図４】
2010172385.tif 000006
【図５】
2010172385.tif 000007
【図６】
2010172385.tif 000008
【図７】
2010172385.tif 000009
【図８】
2010172385.tif 000010
【図９】
2010172385.tif 000011